(57)【要約】【課題】前掛け部をフロントフレームに着脱自在に取付けて成るメガネであって、該前掛け部が安定して取付けられると共に、構造が簡単で安く製作出来るメガネの提供。【解決手段】前掛け部２の連結部材１０の中央には溝１４を形成した嵌合ピン１２を突出すると共に、嵌合ピン１２の両側には位置決めピン１３，１３を設け、そしてフロントフレーム１の連結部材４には嵌合穴と位置決め穴を形成し、該嵌合穴には嵌合ピン１２を嵌めると共に位置決め穴には位置決めピン１３を嵌め、そして嵌合穴の内周面に一部突出したボール１５は嵌合ピン１２の溝１４にバネ力が付勢されて嵌っている。【選択図】        図２
2004177849.tif 000002
【特許請求の範囲】
【請求項１】
前掛け部をフロントフレームに着脱自在に取付けて成るメガネにおいて、前掛け部には溝が形成された嵌合ピンを突出し、フロントフレーム側には嵌合穴を設けて上記嵌合ピンを嵌め、そして嵌合穴の内周面にボールやピンなどの先端を突出すると共に上記嵌合ピンの溝にバネ力を付勢して係合したことを特徴とするメガネ。
【請求項２】
鼻当てパット又は鼻当て部材をフロントフレームの連結部材に着脱自在に取付けて成るメガネにおいて、鼻当てパットの取付け部や鼻当て部材には溝が形成された嵌合ピンを突出し、フロントフレーム側には嵌合穴を設けて上記嵌合ピンを嵌め、そして嵌合穴の内周面にボールやピンなどの先端を突出すると共に上記嵌合ピンの溝にバネ力を付勢して係合したことを特徴とするメガネ。
【請求項３】
上記嵌合ピンの他に位置決めピンを突出すると共に、フロントフレーム側に形成した位置決め穴に嵌めて取付けた請求項１、又は請求項２記載のメガネ。
【発明の詳細な説明】
【０００１】
【発明の属する技術分野】
本発明は前掛け部をメガネのフロントフレームに安定して取付けすることが出来、又鼻当て部を着脱可能としたメガネに関するものである。
【０００２】
【従来の技術】
従来において、メガネのフロントフレームに前掛け部を取付けたメガネは多用されている。これは周知の通り、近眼の人がサングラスを必要とする場合や、老眼であるにもかかわらず近眼でもあるといったケースは多く、このような場合に近眼用のメガネにサングラスの前掛け部を取付けたり、近眼用のメガネに老眼用レンズを入れた前掛け部を使用するといった具合である。
【０００３】
ところで、従来型式の前掛け部を備えたメガネには幾つかの問題がある。その１つは取付け構造が複雑である為に製作コストが高くなると共に、嵌合状態があまくなってガタ付きを生じ、前掛け部が安定しないと言った点である。
【０００４】
図７は従来多用されている一般的な前掛け式メガネを示し、（ａ）はメガネフレーム、（ｂ）は上記メガネフレーム（イ）のフロントフレーム（ハ）に取付けられる前掛け部（ロ）を表している。フロントフレーム（ハ）の両側に設けているヨロイ（ニ）、（ニ）には磁石（ホ）、（ホ）が取着され、前掛け部（ロ）の両側に設けているヨロイ（ヘ）、（ヘ）にも同じく磁石（ト）、（ト）を有している。
【０００５】
そこで、上記前掛け部（ロ）はフロントフレーム（ハ）の正面に重ね合わされ、磁石（ホ）に磁石（ト）が引き付けられて取着される。勿論、磁石（ホ）、（ト）を介して取付けられる前掛け部が位置ズレしないように何らかの工夫はされている。特許第２７０８１００号に係る「眼鏡セット及びツル無しサングラス」、及び特許第２６２８５６９号に係る「マグネットによる着脱式サングラス」はこの前掛け式メガネに相当する。
【０００６】
又、特許第２９９７４１８号に係る「着脱眼鏡取付装置」はフロントフレームのヨロイ部に受部を設けると共に該受部には磁石を取付け、前掛け部を該受部に載せて磁石にて吸着する構造と成っている。このように、従来の構造では前掛け式メガネのフロントフレームは特別な構造と成ってしまい、製作費が高くなってしまう。しかし、構造が複雑化する割りに前掛け部（ロ）が安定せず位置ズレし、時には外れ落ちるなどの問題が発生する。
【０００７】
一方、メガネには鼻当てパットが備わっていて、該鼻当てパットを鼻に当てることでフロント部を支えることが出来る。そこで、該鼻当てパットはフロント部から延びる脚の先端に取付けられているが着脱自在ではなく、常に鼻に接することで汚れても交換することは出来ない。
【０００８】
【発明が解決しようとする課題】
このように、従来の前掛け式メガネには上記のごとき問題がある。本発明が解決しようとする課題はこの問題点であり、前掛け部が安定して取付けられると共に、鼻当てパットの交換を自由に行うことが出来、しかも構造が簡単で安く製作出来るメガネを提供する。
【０００９】
【課題を解決する為の手段】
本発明に係るメガネは、前掛け部をメガネのフロントフレームに取付け可能な構造とし、不要な場合には取外し出来るものであり、その基本的な作用は従来と共通する。そして前掛け部を取付ける手段としては嵌合ピンが用いられ、フロントフレーム側に形成した穴に上記嵌合ピンが嵌って取付けられる。
【００１０】
上記嵌合ピンには溝が形成されていて、該嵌合ピンが穴に嵌合する場合には、溝に先端の一部が係合するボール又はピン等を取付けている。そしてボール又はピンにはバネ力が付勢されて、穴に嵌ったピンは容易に抜けることはない。ここで、嵌合ピンが設けられる箇所は一般に連結部材であるが、両側端のヨロイから突出することもあり、フロントフレーム側に形成される穴の箇所も同じである。
【００１１】
一方本発明では、鼻当てパットを着脱自在な構造とする為に、前掛け部と同じく嵌合ピンを備え、フロントフレームの連結部材に形成した穴に嵌合する。そして嵌合ピンには溝が形成され、該嵌合ピンが穴に嵌合する場合には該溝に先端の一部が係合するボール又はピンを取付けている。そしてボール又はピンにはバネ力が付勢されて、穴に嵌ったピンは容易に抜けることはない。
【００１２】
さらに、前掛け部及び鼻当て部材には嵌合ピンのほかに位置決めピンを突出し、フロントフレーム側に形成した位置決め穴に嵌めて正しく位置決めする場合もある。以下、本発明に係る実施例を図面に基づいて詳細に説明する。
【００１３】
【実施例】
図１は本発明に係るメガネを示した実施例であり、フロントフレーム１に前掛け部２が取付けられている状態を表している。該メガネのフロントフレーム１は図２に示しているように、両上リム３，３を連結部材４にて連結し、連結部材４の両サイドからは脚５，５が延び、該脚先端には鼻当てパット６，６が取付けられている。
【００１４】
そして、このフロントフレーム１の両サイドには継手部７，７を設けてツル８，８を折畳み可能に取付けている。一方、前掛け部２は下リム９，９が連結部材１０によって連結され、下リム９，９にはレンズ１１，１１が嵌り、レンズの上側には水糸等の高張力糸が張設されている。すなわち、下リム９に嵌ったレンズ１１が外れないように、該レンズ１１の上側を水糸によって固定している。
【００１５】
上記連結部材１０には中央に嵌合ピン１２が水平に突出し、嵌合ピン１２の両側には位置決めピン１３，１３が同じく水平に突出している。嵌合ピン１２は図３に拡大図を示しているように、途中に溝１４が形成され、先端は丸みを形成している。一方、フロントフレーム１の連結部材４には中央に嵌合穴を有し、この嵌合穴の両側には位置決め穴が形成されている。
【００１６】
ところで、前記図１に示すメガネは、前掛け部２の連結部材１０に設けている嵌合ピン１２及び両位置決めピン１３，１３をフロントフレーム１の連結部材４に形成している嵌合穴及び位置決め穴に嵌めて取付け構成したものである。このように、本発明のメガネはその前掛け部２を自由に取付け・取外しすることが出来、用途に応じて適当なレンズを備えた前掛け部２を取付けることが可能となる。
【００１７】
２本の位置決めピン１３，１３を位置決め穴に嵌めると共に、嵌合ピン１２を嵌合穴に嵌めることで前掛け部２はフロントフレーム１に正しく取付けられることになるが、一旦、取付けた前掛け部２が外れ落ちないように工夫されている。これは、嵌合ピン１２に形成している溝１４にボールを係合させて行うことが出来る。
【００１８】
図４は嵌合ピン１２が嵌合穴に嵌っている場合を示しているが、同図のように嵌合穴に一部が突出するようにボール１５を取付けていて、該ボール１５は板バネ１６に載って支えられている。従って、ボール１５にはバネ力が付勢されて嵌合ピン１２の溝１４に係合することが出来る。本発明のメガネを構成する前掛け部２は、フロントフレーム１に嵌合ピン１２を介して取付けられる訳であるが、前掛け部２に突出する嵌合ピン１２の位置は連結部材１０に限定するものではない。
【００１９】
前掛け部の両サイドにヨロイ部を設け、このヨロイ部に嵌合ピンを突出させることも可能である。そして、該実施例では、前掛け部２に１本の嵌合ピン１２と２本の位置決めピン１３，１３を備えているが、２本の嵌合ピンを突出することで位置決めピンを省略する場合もある。
【００２０】
図５は本発明のメガネを示す他の実施例であり、鼻当てパット１７，１７の取付け構造を示している。鼻当てパット１７，１７は取付け部材１８の両側に対を成して取着され、そして該取付け部材１８の中央には嵌合ピン１２が突出し、該嵌合ピン１２の両側には位置決めピン１３，１３が突出している。メガネのフトント部２はレンズ１１，１１を嵌めたリム１９，１９が連結部材２０を介して連結され、そして連結部材２０の背面側には嵌合ピン１２が嵌る嵌合穴と、両側には位置きめ穴が形成されている。
【００２１】
図６に示すメガネは鼻当てパットの代わりに、鼻の甲に当てて支える鼻当て部材２１を取付けている。該鼻当て部材２１は鼻の甲に当るように滑らかな凹状曲面２２を有し、そして中央には嵌合ピンが突出すると共に両側には位置決めピンが延びている。一方、メガネの連結部材２３には嵌合穴と２個の位置決め穴が形成されていて、上記嵌合ピンは嵌合穴に、位置決めピンは位置決め穴に夫々嵌ることが出来る。
【００２２】
この場合の嵌合ピンは前記図３に示すように溝１４が形成され、嵌合穴に嵌った嵌合ピンは図４に示しているごとく、該溝１４にはバネ力が付勢しているボール１５が嵌入して外れないように成っている。
【００２３】
以上述べたように、本発明のメガネは前掛け部又は鼻当てパットを取付けるに際して、嵌合ピンと位置決めピンを備えて嵌合穴及び位置決め穴に嵌めるようにしたものであり、次のような効果を得ることが出来る。
【００２４】
【発明の効果】
本発明のメガネの１形態はフロントフレームに前掛け部を取付けたものであるが、該前掛け部には嵌合ピンお呼び位置決めピンが突出し、フロントフレーム側に形成した嵌合穴及び位置決め穴に嵌って取付けられる。そして嵌合ピンには溝が形成されると共に、嵌合穴にはピン又はボールがバネ力を付勢して溝に嵌るように成っている為に、嵌合穴に嵌った嵌合ピンは独りでに外れることはない。又、位置決めピンが位置決め穴に嵌って、前掛け部を正しく位置決めして取付けることが出来る。
【００２５】
一方、鼻当てパットも嵌合ピンと位置決めピンをフロントフレームの連結部材に形成した嵌合穴と位置決め穴に嵌めて取付けられる。従って鼻当てパットは簡単に交換することが可能となり、嵌合ピンに複数の溝を形成しておくならば、嵌合穴に嵌る位置を調整することで、鼻当てパットの位置を変えてフロント部を正しい位置に保持することが出来る。
【図面の簡単な説明】
【図１】本発明のめがねを示す実施例。
【図２】メガネからフロント部を外した場合。
【図３】嵌合ピンの拡大図。
【図４】嵌合ピンが嵌合穴に嵌った状態。
【図５】本発明に係るメガネの他の実施例。
【図６】本発明に係るメガネの他の実施例。
【図７】従来の前掛けメガネ。
【符号の説明】
１  フロントフレーム
２  前掛け部
３  上リム
４  連結部材
５  脚
６  鼻当てパット
７  継手部
８  ツル
９  下リム
１０  連結部材
１１  レンズ
１２  嵌合ピン
１３  位置決めピン
１４  溝
１５  ボール
１６  板バネ
１７  鼻当てパット
１８  取付け部材
１９  リム
２０  連結部材
２１  鼻当て部材
２２  凹状曲面
２３  連結部材
【図１】
2004177849.tif 000003
【図２】
2004177849.tif 000004
【図３】
2004177849.tif 000005
【図４】
2004177849.tif 000006
【図５】
2004177849.tif 000007
【図６】
2004177849.tif 000008
【図７】
2004177849.tif 000009